(57)【要約】【課題】映像信号をフィルタ回路に入力して生成した第１の信号と、この第１の信号から生成した第２の信号とを用いて前記映像信号から同期信号を分離する同期分離回路、及びこの同期分離回路を有する映像表示装置において、異なる種類の映像信号から同一の同期分離回路で同期信号を分離可能とした同期分離回路、及びこの同期分離回路を有する映像表示装置を提供する。【解決手段】映像信号の種類を判別する信号判別手段と、この信号判別手段による判別結果に基づいて、映像信号をそのまま第１の信号とするか、フィルタ回路に入力して第１の信号を生成するかを切替える切替手段とを同期分離回路に設ける。【選択図】図１
2006129077.tif 000002
【特許請求の範囲】
【請求項１】
映像信号をフィルタ回路に入力して生成した第１の信号と、この第１の信号から生成した第２の信号とを用いて前記映像信号から同期信号を分離する同期分離回路において、
前記映像信号の種類を判別する信号判別手段と、
この信号判別手段による判別結果に基づいて、前記映像信号をそのまま第１の信号とするか、前記フィルタ回路に入力して第１の信号を生成するかを切替える切替手段と
を備えたことを特徴とする同期分離回路。
【請求項２】
前記映像信号が、前記フィルタ回路の出力信号を前記第１の信号としなければならない映像信号に切り替わったことを直ちに検出する検出手段を備えたことを特徴とする請求項１記載の同期分離回路。
【請求項３】
映像信号をフィルタ回路に入力して生成した第１の信号と、この第１の信号から生成した第２の信号とを用いて前記映像信号から同期信号を分離する同期分離回路を有する映像表示装置において、
前記同期分離回路は、
前記映像信号の種類を判別する信号判別手段と、
この信号判別手段による判別結果に基づいて、前記映像信号をそのまま第１の信号とするか、前記フィルタ回路に入力して第１の信号を生成するかを切替える切替手段と
を備えたことを特徴とする映像表示装置。
【発明の詳細な説明】
【技術分野】
【０００１】
本発明は、映像信号に合成されている同期信号を分離する同期分離回路、及びこの同期分離回路を有する映像表示装置に関するものであって、特に、２種類の異なる規格の映像信号に対応可能とした同期分離回路、及びこの同期分離回路を有する映像表示装置に関するものである。
【背景技術】
【０００２】
従来、テレビなどの映像表示装置では、所要の入力端子を介して入力された映像信号から同期信号を分離し、この同期信号に基づいて映像の再生を行っており、映像信号から同期信号を分離するための同期分離回路を設けている。
【０００３】
この同期分離回路は、図４に示すように、入力された映像信号s100を反転増幅して反転増幅信号s200を生成して出力する反転増幅回路200と、反転増幅信号s200からノイズを除去した第１信号s300を生成して出力するフィルタ回路300と、第１信号s300から同期信号の分離を行うために用いる第２信号s400を生成して出力する第２信号生成回路400と、第２信号s400と第１信号s300とを比較することにより同期信号s500の分離を行って出力する比較回路500とから構成している（例えば、特許文献１参照。）。図４中、100は同期分離回路の入力端子、600は同期分離回路の出力端子である。
【０００４】
特に、第２信号生成回路400には第１信号s300のピークを保持するピークホールド回路410と、第１信号s300を所定のタイミングでサンプルホールドするサンプルホールド回路420とを設け、ピークホールド回路410の出力信号と、サンプルホールド回路420の出力信号とから第２信号s400を生成している。図４中、430は第１調整抵抗、440は第２調整抵抗であって、この第１調整抵抗430及び第２調整抵抗440を調整することにより第２信号s400を調整可能としている。
【０００５】
サンプルホールド回路420には、第１信号s300をサンプルホールドするタイミングを指定するサンプルホールドタイミング生成回路450を接続し、サンプルホールドタイミング生成回路450から入力されたタイミング信号s450に基づいて、サンプルホールド回路420は第１信号s300をサンプルホールドするようにしている。
【０００６】
このような同期分離回路において、第２信号s400は第１信号s300のスライスレベルを規定している信号であり、比較回路500では第１信号s300と第２信号s400とを比較して、第２信号s400よりも振幅が大きい第１信号s300の領域を抽出することによって同期信号s500を分離・生成している。
【特許文献１】特開２０００−１５２０２７号公報
【発明の開示】
【発明が解決しようとする課題】
【０００７】
しかしながら、図４に示した同期分離回路は、映像信号がＮＴＳＣ（National Television Standards Committee）方式のノーマルスキャンコンポジットビデオ信号（以下、「ＮＳ信号」と呼ぶ）の場合に用いられる同期分離回路であり、この同期分離回路を用いて高精細テレビ（ＨＤＴＶ）の映像信号、すなわち輝度情報信号が合成された３値同期信号（以下、「ＨＤSync信号」と呼ぶ）からの同期信号の分離を行った場合には、ＨＤSync信号における同期信号部分の幅（０．５９μｓ）が、ＮＳ信号における同期信号部分の幅（４．７μｓ）よりも小さいことにより、同期分離回路におけるフィルタ回路によって生じる信号のなまりに起因して、分離された同期信号の幅が狭くなるという問題があった。
【０００８】
具体的に説明すると、図５（ａ）に示すＨＤSync信号を反転増幅回路に入力して得られた反転増幅信号は図５（ｂ）に示すようになり、この反転増幅信号をフィルタ回路に入力して得られる第１信号は、フィルタ回路が一般的にはローパスフィルタ回路であることにより、図５（ｃ）に示すようになる。すなわち、第１信号には、ローパスフィルタ回路に起因したスルーレートの低下にともなって、立上り部分及び立下り部分が傾斜状となるなまりが生じる。
【０００９】
比較回路は、このようになまりの生じている第１信号に対して第２信号に基づいて設定されるスライスレベル（図５（ｃ）中のＳ−Ｓ’）によるスライスを行うことにより、図５（ｄ）に示すように第１信号から分離された同期信号の幅は、ＨＤSync信号における同期信号部分の幅よりも狭くなり、同期信号の正確な分離が困難となっていた。
【００１０】
特に、同期信号の幅が狭くなった場合には、後段の処理でＰＬＬ回路がある場合に、ＰＬＬ回路の位相比較回路における基準パルス信号と水平同期信号との位相が揃わないおそれがあり、ＰＬＬ回路が正常に動作しないおそれがあった。
【００１１】
そこで、このようにＮＳ信号とＨＤSync信号のような異なる規格の映像信号からそれぞれ同期信号を分離する場合には、同一の同期分離回路を用いてはそれぞれを正確に分離することが困難であるために、それぞれの信号に適した同期分離回路を設けており、昨今のようにＮＳ信号でもＨＤSync信号でも再生可能とした映像表示装置では、それぞれの信号用の同期分離回路を設けることにより、製造コストの上昇を招くという問題があった。
【課題を解決するための手段】
【００１２】
そこで、本発明の同期分離回路では、映像信号をフィルタ回路に入力して生成した第１の信号と、この第１の信号から生成した第２の信号とを用いて映像信号から同期信号を分離する同期分離回路において、映像信号の種類を判別する信号判別手段と、この信号判別手段による判別結果に基づいて、映像信号をそのまま第１の信号とするか、フィルタ回路に入力して第１の信号を生成するかを切替える切替手段とを備えることとした。
【００１３】
さらに、映像信号が、フィルタ回路の出力信号を第１の信号としなければならない映像信号に切り替わったことを直ちに検出する検出手段を備えたことにも特徴を有するものである。
【００１４】
また、本発明の映像表示装置では、映像信号をフィルタ回路に入力して生成した第１の信号と、この第１の信号から生成した第２の信号とを用いて映像信号から同期信号を分離する同期分離回路を有する映像表示装置において、同期分離回路に、映像信号の種類を判別する信号判別手段と、この信号判別手段による判別結果に基づいて、映像信号をそのまま第１の信号とするか、フィルタ回路に入力して第１の信号を生成するかを切替える切替手段とを設けた。
【発明の効果】
【００１５】
請求項１記載の発明によれば、本発明の同期分離回路では、映像信号をフィルタ回路に入力して生成した第１の信号と、この第１の信号から生成した第２の信号とを用いて映像信号から同期信号を分離する同期分離回路において、映像信号の種類を判別する信号判別手段と、この信号判別手段による判別結果に基づいて、映像信号をそのまま第１の信号とするか、フィルタ回路に入力して第１の信号を生成するかを切替える切替手段とを備えることによって、フィルタ回路による処理にともなって同期信号の幅が狭くなるなどの不具合を有する映像信号と、そのような不具合を有さない映像信号に対して同一の同期分離回路を用いることができ、マルチスキャンに対応可能とした同期分離回路を提供できる。しかも、この同期分離回路では、映像信号の種類の判別を自動的に行うことができる。
【００１６】
請求項２記載の発明によれば、請求項１記載の同期分離回路において、フィルタ回路の出力信号を第１の信号としなければならない映像信号に切り替わったことを直ちに検出する検出手段を備えたことによって、誤動作が生じることを確実に防止できる。
【００１７】
請求項３記載の発明によれば、映像信号をフィルタ回路に入力して生成した第１の信号と、この第１の信号から生成した第２の信号とを用いて映像信号から同期信号を分離する同期分離回路を有する映像表示装置において、同期分離回路に、映像信号の種類を判別する信号判別手段と、この信号判別手段による判別結果に基づいて、映像信号をそのまま第１の信号とするか、フィルタ回路に入力して第１の信号を生成するかを切替える切替手段とを設けたことによって、フィルタ回路による処理にともなって同期信号の幅が狭くなるなどの不具合を有する映像信号と、そのような不具合を有さない映像信号に対して同一の同期分離回路を用いることができ、同期分離回路をマルチスキャン対応として同期分離回路の配設数を削減できるので、映像表示装置の低コスト化を図ることができる。
【発明を実施するための最良の形態】
【００１８】
本発明の同期分離回路、及びこの同期分離回路を有する映像表示装置では、映像信号をフィルタ回路に入力して生成した第１の信号と、この第１の信号から生成した第２の信号とを用いて映像信号から同期信号を分離するように同期分離回路を構成しているものであり、特に、映像信号の種類を判別する信号判別手段と、この信号判別手段による判別結果に基づいて、映像信号をそのまま第１の信号とするか、フィルタ回路に入力して第１の信号を生成するかを切替える切替手段とを備えているものである。
【００１９】
このように、フィルタ回路による処理を必要とする映像信号と、フィルタ回路による処理を必要としない映像信号とを、フィルタ回路をスルーさせるかどうか切替制御させることによりどちらも処理可能とすることができるので、１つの同期分離回路で複数種類の映像信号に対応可能とすることができ、同期分離回路をマルチスキャン対応とすることができる。
【００２０】
したがって、このような同期分離回路を内蔵した映像表示装置では、内蔵する同期分離回路の種類を削減することができ、入力される映像信号毎に同期分離の経路設定を行うためのシーケンス処理も不要とすることができるので、低コスト化を図ることができる。
【００２１】
特に、昨今では、多種類の映像信号を取り扱うことができる映像表示装置が要望されており、このような映像表示装置を安価に提供可能とすることができる。
【００２２】
以下において、図面に基づいて本実施形態についてさらに詳説する。図１は、本実施形態の映像表示装置に内蔵された同期分離回路のブロック図である。
【００２３】
本実施形態の同期分離回路は、入力された映像信号s10を反転増幅して反転増幅信号s20を生成して出力する反転増幅回路20と、反転増幅信号s20からノイズを除去した第１信号s30を生成して出力するフィルタ回路30と、第１信号s30から同期信号の分離を行うために用いる第２信号s40を生成して出力する第２信号生成回路40と、第２信号s40と第１信号s30とを比較することにより同期信号s50の分離を行って出力する比較回路50とから構成している。図１中、10は同期分離回路の入力端子、60は同期分離回路の出力端子である。
【００２４】
さらに、同期分離回路には、反転増幅信号s20をフィルタ回路30に入力させずにスルーして反転増幅信号s20を第１信号s30として後段に伝送する場合と、反転増幅信号s20をフィルタ回路30に入力して生成した第１信号s30を後段に伝送する場合とを切替える切替回路70を設けるとともに、この切替回路70の切替制御を行う信号判別回路80を設けている。
【００２５】
フィルタ回路30は、本実施形態では、ＮＴＳＣ方式のＮＳ信号に重畳されたノイズを除去可能としたローパスフィルタ回路としている。なお、本実施形態の同期分離回路で同期信号が分離される高精細テレビのＨＤSync信号には、通常、ローパスフィルタによるノイズ除去が必要となるノイズは重畳されない。
【００２６】
第２信号生成回路40には、切替回路70を介して入力された第１信号s30のピークを保持するピークホールド回路41と、第１信号s30を所定のタイミングでサンプルホールドするサンプルホールド回路42とを設け、ピークホールド回路41の出力信号と、サンプルホールド回路42の出力信号とから第２信号s40を生成している。図１中、43は第１調整抵抗、44は第２調整抵抗であって、この第１調整抵抗43及び第２調整抵抗44を調整することにより第２信号s40を調整可能としている。
【００２７】
サンプルホールド回路42には、第１信号s30をサンプルホールドするタイミングを指定するサンプルホールドタイミング生成回路45を接続しており、サンプルホールドタイミング生成回路45から入力されたタイミング信号s45に基づいて、サンプルホールド回路42は第１信号s30をサンプルホールドするようにしている。
【００２８】
第２信号s40は第１信号s30のスライスレベルを規定している信号であり、比較回路50では第１信号s30と第２信号s40とを比較して、第２信号s40よりも振幅が大きい第１信号s30の領域を抽出することによって同期信号s50を分離・生成している。
【００２９】
信号判別回路80には、比較回路50で生成された同期信号s50を入力するようにしており、入力された同期信号s50から、その同期信号s50がＮＴＳＣ方式のＮＳ信号であるか、あるいは高精細テレビのＨＤSync信号であるかを判別するようにしている。
【００３０】
そして、信号判別回路80は判別結果に基づいて切替制御信号s80を生成して出力し、この切替制御信号s80を切替回路70に入力して、同期信号s50がＮＴＳＣ方式のＮＳ信号であった場合には、フィルタ回路30から出力された信号を第１信号s30として後段に伝送するように切替回路70を切替え、同期信号s50が高精細テレビのＨＤSync信号であった場合には、フィルタ回路30をスルーさせた信号を第１信号s30として後段に伝送するように切替回路70を切替えている。
【００３１】
高精細テレビのＨＤSync信号は、フィルタ回路30をスルーさせることによって同期信号部分になまりが生じることを防止でき、ＨＤSync信号から分離した同期信号s50の幅が狭くなることを防止できる。したがって、同期分離回路の後段にＰＬＬ回路がある場合において、ＰＬＬ回路の位相比較回路における基準パルス信号と水平同期信号との位相が揃わなくなるおそれを解消できる。
【００３２】
このように映像信号の種類に応じてフィルタ回路30による処理の有無切り替え可能としていることにより、異なる映像信号から同一の同期分離回路を用いて同期信号s50の分離を行うことができる。
【００３３】
したがって、異なる映像信号を表示可能とした映像表示装置にあらかじめ内蔵させる同期分離回路の数を減らすことができ、映像表示装置の低コスト化を図ることができる。
【００３４】
特に、信号判別回路80によって分離した同期信号s50に基づいて映像信号の種類を自動判別することにより、外部から映像信号の種類を特定するための信号の入力を行う必要がなく、同期分離回路の構成を簡潔化することができる。
【００３５】
信号判別回路80は、図２のブロック図に示すように、入力された同期信号s50の長さをカウント用クロック信号出力回路から出力されたクロック信号に基づいてカウントするカウンタ回路82と、このカウンタ回路82でのカウント結果を一時的に記憶するラッチ回路83と、このラッチ回路83に記憶されたカウント結果データに基づいて映像信号の種類を判定する判定回路84とを設けている。
【００３６】
本実施形態では、ＮＴＳＣ方式のＮＳ信号の周波数が15.734kHz、高精細テレビのＨＤSync信号の周波数が33.750kHzであることを利用している。
【００３７】
すなわち、カウント用クロック信号の周波数を4MHzとすることにより、ＮＳ信号の場合における同期信号のカウンタ回路82でのカウント結果は９bit表示で「０１１１１１１１０」となり、ＨＤSync信号の場合における同期信号のカウンタ回路82でのカウント結果は９bit表示で「００１１１０１１０」となり、上位３bitに「０１１」と「００１」違いが生じることを利用して、カウンタ回路82でのカウント結果の上位３bitが「００１」であるかどうかを判定回路84で判定することにより、ＮＳ信号またはＨＤSync信号の判定を行っている。
【００３８】
判定回路84は、図３に示すように、上位３bitの３つの信号と、これら３つの信号を第１反転回路91、第２反転回路92、第３反転回路93でそれぞれ反転させた反転信号を生成し、上位第１位bitの信号と、上位第２位bitの反転信号と、上位第３位bitの反転信号とを第１ＡＮＤ回路94に入力するとともに、上位第１位bitの反転信号と、上位第２位bitの信号と、上位第３位bitの信号とを第２ＡＮＤ回路95に入力し、第１ＡＮＤ回路94の出力信号を第４反転回路96で反転させた信号と、第２ＡＮＤ回路95の出力信号を第５反転回路97で反転させた信号とを第３ＡＮＤ回路98に入力し、第３ＡＮＤ回路98の出力信号が「０」の場合には同期信号はＮＳ信号の同期信号であると判定し、第３ＡＮＤ回路98の出力信号が「１」の場合には同期信号はＨＤSync信号の同期信号であると判定するようにしている。
【００３９】
さらに、信号判別回路80には、映像信号がＨＤSync信号からＮＳ信号に切替わった場合に、直ちに切替回路70を切替えてフィルタ回路30の出力信号を第１信号s30とするＮＳ信号検出回路85を設けている。
【００４０】
すなわち、ＮＳ信号検出回路85は、カウンタ回路82から出力されたカウント結果データが入力されるとともに、ラッチ回路83から出力されたカウント結果データが入力されて、これらのカウント結果データを比較する比較回路85aと、この比較回路85aの出力信号と判定回路84の出力信号が入力されるＡＮＤ回路85bとで構成しており、比較回路85aは、カウンタ回路82から出力されたカウント結果データと、ラッチ回路83から出力されたカウント結果データとが異なる場合に「０」を出力するように構成している。
【００４１】
したがって、映像信号がＨＤSync信号からＮＳ信号に切替わった場合などのように、フィルタ回路30の出力信号を第１信号s30としなければならない映像信号に切り替わったことをＮＳ信号検出回路85で直ちに検出することができ、切替回路70を直ちに切替えることにより、誤作動が生じることを防止できる。
【００４２】
なお、比較回路85aは、カウンタ回路82から出力されたカウント結果データと、ラッチ回路83から出力されたカウント結果データとが一致する場合には「１」を出力するように構成している。
【図面の簡単な説明】
【００４３】
【図１】本発明に係る同期分離回路のブロック図である。
【図２】同期分離回路における判別回路のブロック図である。
【図３】判別回路における判定回路の回路図である。
【図４】従来の同期分離回路のブロック図である。
【図５】従来の同期分離回路による輝度情報信号が合成された３値同期信号の処理状態を示した説明図であり、（ａ）は映像信号、（ｂ）は反転増幅信号、（ｃ）は第１信号、（ｄ）は同期信号を示している。
【符号の説明】
【００４４】
10  入力端子
20  反転増幅回路
30  フィルタ回路
40  第２信号生成回路
41  ピークホールド回路
42  サンプルホールド回路
43  第１調整抵抗
44  第２調整抵抗
45  サンプルホールドタイミング生成回路
50  比較回路
60  出力端子
70  切替回路
80  信号判別回路
s10 映像信号
s20 反転増幅信号
s30 第１信号
s40 第２信号
s45 タイミング信号
s50 同期信号
【図１】
2006129077.tif 000003
【図２】
2006129077.tif 000004
【図３】
2006129077.tif 000005
【図４】
2006129077.tif 000006
【図５】
2006129077.tif 000007